(57)【要約】【課題】コンテンツを表示した画面を撮影して、コンテンツに映っているオブジェクトの関連情報を取得することが可能なコンテンツ情報取得装置を提供する。【解決手段】コンテンツ情報取得装置３は、撮影手段３０で撮影された撮影画像から、予め定めた分割数で区分された領域ごとに電子透かしを検出する領域別電子透かし検出手段３１と、電子透かしとして検出したオブジェクトを特定する識別情報に対応するオブジェクトの個別情報をサーバから取得し、表示手段３７に表示するオブジェクト個別情報表示手段３３と、指定手段３８を介して、個別情報の位置をユーザに指定されることで、その指定された個別情報に対応する関連情報をサーバから取得し、表示手段３７に表示するオブジェクト関連情報表示手段３５と、を備える。【選択図】図４
2015106862.tif 000002
【特許請求の範囲】
【請求項１】
映像フレームを予め定めた分割数で区分した領域のうちで、映像上に映る個々のオブジェトがそれぞれ個別に収まる範囲の１以上の前記領域に、前記オブジェクトを特定する同じ識別情報が電子透かしで埋め込まれた映像コンテンツを、コンテンツ表示装置の表示画面に表示された状態で撮影し、前記オブジェクトに関連する関連情報を、ネットワークを介して取得するコンテンツ情報取得装置であって、
撮影手段で撮影された撮影画像から、前記予め定めた分割数で区分された領域ごとに電子透かしを検出する領域別電子透かし検出手段と、
この領域別電子透かし検出手段で電子透かしとして検出した前記識別情報に対応するオブジェクトの個別情報を、当該識別情報と対応する前記個別情報を提供するサーバから、ネットワークを介して取得し、表示手段に表示するオブジェクト個別情報表示手段と、
前記表示手段に表示された前記個別情報の位置を、指定手段を介して指定されることで、その指定された個別情報に対応するオブジェクトの関連情報を、前記識別情報と対応する前記関連情報を提供するサーバから、ネットワークを介して取得し、表示手段に表示するオブジェクト関連情報表示手段と、を備え、
前記オブジェクト個別情報表示手段は、複数の領域で同一の識別情報が検出された場合、当該識別情報に対して１つの前記個別情報を取得して表示することを特徴とするコンテンツ情報取得装置。
【請求項２】
前記オブジェクト個別情報表示手段は、前記個別情報に対応する識別情報が電子透かしとして埋め込まれていた領域に、当該個別情報を描画して表示することを特徴とする請求項１に記載のコンテンツ情報取得装置。
【請求項３】
前記オブジェクト個別情報表示手段は、前記個別情報に対応する識別情報が電子透かしとして埋め込まれていた領域が複数あって、当該複数の領域全体の形状が矩形形状となる場合、当該矩形形状の中心に、前記個別情報を描画して表示することを特徴とする請求項１または請求項２に記載のコンテンツ情報取得装置。
【請求項４】
前記オブジェクト個別情報表示手段は、前記個別情報に対応する識別情報を電子透かしとして埋め込まれていた領域が複数あって、当該複数の領域全体の形状が矩形形状とならない場合、前記識別情報が埋め込まれた前記複数の領域において、１つの領域を基準領域として、当該基準領域の水平方向および垂直方向で前記識別情報が埋め込まれた領域の個数が最大となる基準領域のいずれか１つの領域に、前記個別情報を描画して表示することを特徴とする請求項１または請求項２に記載のコンテンツ情報取得装置。
【請求項５】
前記オブジェクト個別情報表示手段は、前記個別情報に対応する識別情報を電子透かしとして埋め込まれていた領域が複数あって、当該複数の領域全体の形状が矩形形状とならない場合、前記識別情報が埋め込まれた前記複数の領域で構成される図形の重心位置に、前記個別情報を描画して表示することを特徴とする請求項１または請求項２に記載のコンテンツ情報取得装置。
【請求項６】
映像フレームを予め定めた分割数で区分した領域のうちで、映像上に映る個々のオブジェトがそれぞれ個別に収まる範囲の１以上の前記領域に、前記オブジェクトを特定する同じ識別情報が電子透かしで埋め込まれた映像コンテンツを、コンテンツ表示装置の表示画面に表示された状態で撮影し、前記オブジェクトに関連する関連情報を、ネットワークを介して取得するコンテンツ情報取得装置であって、
撮影手段で撮影された撮影画像から、前記予め定めた分割数で区分された領域ごとに電子透かしを検出する領域別電子透かし検出手段と、
この領域別電子透かし検出手段で電子透かしとして検出した前記識別情報に対応するオブジェクトの関連情報を、当該識別情報と対応する前記関連情報を提供するサーバから、ネットワークを介して取得し、表示手段に表示するオブジェクト関連情報表示手段と、を備え、
前記オブジェクト関連情報表示手段は、複数の領域で同一の識別情報が検出された場合、当該識別情報に対して１つの前記関連情報を取得して表示することを特徴とするコンテンツ情報取得装置。
【請求項７】
コンピュータを、請求項１から請求項５のいずれか一項に記載のコンテンツ情報取得装置として機能させるためのコンテンツ情報取得プログラム。
【請求項８】
コンテンツの映像上に映るオブジェクトに、ネットワークを介して、前記オブジェクトに関連する関連情報を取得するための当該オブジェクトを特定する識別情報を電子透かしで埋め込んで配信するコンテンツ配信装置であって、
前記コンテンツに対応付けて、前記識別情報と、前記コンテンツの表示時間において、前記識別情報を電子透かしとして埋め込む埋め込み時間と、前記コンテンツの映像フレームを予め定めた分割数で区分した領域であって前記識別情報を電子透かしとして埋め込む埋め込み領域と、を埋め込み情報として記憶する埋め込み情報記憶手段と、
この埋め込み情報記憶手段に記憶されている埋め込み情報に基づいて、前記コンテンツの前記埋め込み時間に対応する映像フレームに、前記埋め込み領域ごとに前記識別情報を電子透かしで埋め込む領域別電子透かし埋め込み手段と、
前記識別情報を電子透かしで埋め込んだコンテンツを送信する送信手段と、を備え、
前記埋め込み情報記憶手段には、前記オブジェクトが複数の領域に跨って映っている場合、その複数の領域に同じ識別情報を対応付けて記憶することを特徴とするコンテンツ配信装置。
【発明の詳細な説明】
【技術分野】
【０００１】
本発明は、電子透かしが埋め込まれた映像コンテンツを撮影し、電子透かしで特定された取得元から、コンテンツの映像内に映っているオブジェクトの関連情報を取得することが可能なコンテンツ情報取得装置およびそのプログラム、ならびに、前記電子透かしを埋め込んで映像コンテンツを配信するコンテンツ配信装置に関する。
【背景技術】
【０００２】
従来、表示装置に表示されたコンテンツ（映像コンテンツ）内のオブジェクトに関連する情報を取得する手法として、関連情報を取得するためのＷｅｂサイトのアドレスを示すバーコード、２次元コード、透かし情報（電子透かし）等を利用する手法が知られている（特許文献１参照）。
【０００３】
この従来手法において、バーコード、２次元コード等のコード情報を利用する手法は、表示装置に表示したコンテンツに映っているオブジェクトに対応付けてコード情報を表示する。そして、カメラ付き携帯電話が、そのコード情報を撮影し、コード情報を解析することで、対応するＷｅｂサイトから、関連情報を取得する。
また、この手法では、コンテンツを表示した画面内に、関連情報を取得可能な複数のオブジェクトが存在する場合、それぞれのオブジェクトに対応付けてコード情報を表示する。そして、カメラ付き携帯電話が、コンテンツが表示された画面を撮影した撮影画像内で、コード情報が表示されている領域と、携帯電話のボタン配置とを予め対応付けておき、ユーザが押下したボタンの位置に対応して表示されているコード情報を解析することで、関連情報を取得する。
【０００４】
また、従来手法において、電子透かしを利用する手法は、コンテンツに映っているオブジェクト上に電子透かしを埋め込んだ状態で表示装置の画面上にコンテンツを表示する。そして、カメラ付き携帯電話が、オブジェクトを撮影し、当該オブジェクト上に埋め込まれている電子透かしを検出し、解析することで、対応するＷｅｂサイトから、関連情報を取得する。
【先行技術文献】
【特許文献】
【０００５】
【特許文献１】特開２００５−１２２５１６号公報
【発明の概要】
【発明が解決しようとする課題】
【０００６】
しかし、従来のコード情報を利用する手法は、オブジェクトとともにコード情報を画面上に表示するため、ユーザが視認する情報としては意味がないコード情報によって、オブジェクトが覆われてしまい、ユーザがオブジェクトを認識することができないことがあるという問題がある。
【０００７】
また、従来の電子透かしを利用する手法は、コンテンツの視認を妨げないが、コンテンツの映像に複数のオブジェクトが存在し、その一部のオブジェクトに対して関連情報を提供する場合、ユーザは、どのオブジェクトに関連情報が対応付けられているのかを認識することができないという問題がある。
【０００８】
さらに、従来の電子透かしを利用する手法は、コンテンツの映像に複数のオブジェクトが存在し、画面全体をカメラで撮影した場合、端末が撮影画像から関連情報が対応付けられたオブジェクトの位置や数を把握することができない。
そのため、この手法は、従来のコード情報を利用する手法のように、電子透かしが埋め込まれたオブジェクトの位置を対応するボタンの位置で指定したり、近年のスマートフォン、タブレット端末等のように、オブジェクトの位置をタップ操作で指定したり、等のオブジェクトの選択手法を用いることができない。
【０００９】
このように、従来の電子透かしを利用する手法は、映像上に複数のオブジェクトが映っているコンテンツが表示された画面全体を撮影した場合、オブジェクトごとに埋め込まれた電子透かしを検出することができず、対応する関連情報を取得することができないという問題がある。
【００１０】
本発明は、このような問題に鑑みてなされたものであり、コンテンツを表示した画面全体を撮影し、複数のオブジェクトが存在する映像から、関連情報が対応付けられたオブジェクトの位置や認識して、映像上に映っている個々のオブジェクトの関連情報を取得可能なコンテンツ情報取得装置およびそのプログラム、ならびに、コンテンツ配信装置を提供することを課題とする。
【課題を解決するための手段】
【００１１】
前記課題を解決するため、本発明に係るコンテンツ情報取得装置は、映像フレームを予め定めた分割数で区分した領域のうちで、映像上に映る個々のオブジェトがそれぞれ個別に収まる範囲の１以上の前記領域に、前記オブジェクトを特定する同じ識別情報が電子透かしで埋め込まれた映像コンテンツを、コンテンツ表示装置の表示画面に表示された状態で撮影し、前記オブジェクトに関連する関連情報を、ネットワークを介して取得するコンテンツ情報取得装置であって、領域別電子透かし検出手段と、オブジェクト個別情報表示手段と、オブジェクト関連情報表示手段と、を備える構成とした。
【００１２】
かかる構成において、コンテンツ情報取得装置は、領域別電子透かし検出手段によって、撮影手段で撮影された撮影画像（静止画像、動画像）から、映像フレームの予め定めた分割数で区分された領域ごとに電子透かしを検出する。このように、領域別電子透かし検出手段は、撮影画像にオブジェクトが映っているか否かに関わらず、予め定めた領域単位で電子透かしの検出を行う。これによって、領域別電子透かし検出手段は、撮影画像内で、オブジェクトが映っている位置を、予め定めた領域単位で認識することができる。
【００１３】
そして、コンテンツ情報取得装置は、オブジェクト個別情報表示手段によって、電子透かしとして検出した、識別情報に対応するオブジェクトの個別情報をサーバから取得し、表示手段に表示する。
このように、オブジェクト個別情報表示手段は、ユーザが視認する情報としては意味がないバーコード等のコード情報ではなく、領域単位で埋め込まれている電子透かしを検出することで、その電子透かしで特定されるオブジェクトの名称等の個別情報を画面上に表示する。そのため、オブジェクト個別情報表示手段は、関連情報を提供可能なオブジェクトの位置をユーザに認識させることができるとともに、オブジェクトを表示している画面を、ユーザにとって意味のない情報で覆い隠すことがない。
【００１４】
そして、コンテンツ情報取得装置は、オブジェクト関連情報表示手段によって、表示手段に表示された個別情報の位置を、指定手段を介して指定されることで、その指定された個別情報に対応するオブジェクトの関連情報をサーバから取得し、表示手段に表示する。
【００１５】
なお、本発明に係るコンテンツ情報取得装置は、オブジェクト個別情報表示手段を構成から省略して、領域別電子透かし検出手段で検出した識別情報から、直接、オブジェクト関連情報表示手段によって、オブジェクトの関連情報をサーバから取得して表示することとしてもよい。
また、本発明に係るコンテンツ情報取得装置は、コンピュータを前記した各手段として機能させるためのコンテンツ情報取得プログラムで動作させることができる。
【００１６】
また、本発明に係るコンテンツ配信装置は、コンテンツの映像上に映るオブジェクトに、ネットワークを介して、前記オブジェクトに関連する関連情報を取得するための当該オブジェクトを特定する識別情報を電子透かしで埋め込んで配信するコンテンツ配信装置であって、埋め込み情報記憶手段と、領域別電子透かし埋め込み手段と、送信手段と、を備える構成とした。
【００１７】
かかる構成において、コンテンツ配信装置は、予め埋め込み情報記憶手段に、コンテンツに対応付けて、識別情報と、コンテンツの表示時間において、識別情報を電子透かしとして埋め込む埋め込み時間と、コンテンツの映像フレームを予め定めた分割数で区分した領域であって、識別情報を電子透かしとして埋め込む埋め込み領域と、を埋め込み情報として記憶する。この情報によって、コンテンツのどの映像フレームのどの領域にどの識別情報を埋め込むかが特定される。
【００１８】
そして、コンテンツ配信装置は、領域別電子透かし埋め込み手段によって、埋め込み情報記憶手段に記憶されている埋め込み情報に基づいて、コンテンツの埋め込み時間に対応する映像フレームに、埋め込み領域ごとに識別情報を電子透かしで埋め込む。
そして、コンテンツ配信装置は、送信手段によって、識別情報を電子透かしで埋め込んだコンテンツを送信する。
【発明の効果】
【００１９】
本発明は、以下に示す優れた効果を奏するものである。
本発明によれば、コンテンツの空間方向に予め定めた分割数で区分された領域に、オブジェクトに対応する電子透かしを埋め込むため、コンテンツ情報取得装置は、オブジェクトそのものの位置を認識する必要はなく、電子透かしが埋め込まれている領域としてオブジェクトの位置を簡易に認識することができる。
そのため、コンテンツ情報取得装置は、ユーザが、撮影手段によって、コンテンツが表示されている画面全体を撮影するだけで、その中に埋め込まれている電子透かしにより、オブジェクトの関連情報を取得して表示することができる。
【図面の簡単な説明】
【００２０】
【図１】本発明の実施形態に係るコンテンツ情報取得システムの構成を示す全体構成図である。
【図２】図１のコンテンツ配信装置の構成を示すブロック構成図である。
【図３】図１のコンテンツ表示装置の構成を示すブロック構成図である。
【図４】図１のコンテンツ情報取得装置の構成を示すブロック構成図である。
【図５】コンテンツ内のフレームで電子透かしを埋め込む領域を説明するための図であって、（ａ）はフレームを分割した埋め込み領域の例を示した図、（ｂ）は各埋め込み領域に電子透かしを埋め込んだ状態を模式的に示した図である。
【図６】電子透かしの埋め込みパターンを示す図であって、（ａ）は左上、（ｂ）は右上、（ｃ）は左下、（ｄ）は右下にそれぞれに映っているオブジェクトに対して、それぞれの電子透かしを埋め込んだ例を示す図である。
【図７】電子透かしの埋め込みパターンを示す図であって、（ａ）は上半分、（ｂ）は下半分、（ｃ）は左半分、（ｄ）は右半分にそれぞれに映っているオブジェクトに対して、それぞれの電子透かしを埋め込んだ例を示す図である。
【図８】電子透かしの埋め込みパターンの例を示す図であって、映像全体に映っているオブジェクトに対して、電子透かしを埋め込んだ例を示す図である。
【図９】電子透かしの埋め込みパターンの例を示す図であって、複数の埋め込みパターンを組み合わせた例を示す図である。
【図１０】図４のコンテンツ情報取得装置の領域別電子透かし検出手段の処理内容を示す模式図であって、（ａ）は撮影画像、（ｂ）は分割画像、（ｃ）は電子透かしで埋め込まれた識別情報を示す。
【図１１】オブジェクト個別情報（オブジェクト名称）の描画パターンを示す図であって、（ａ）は左上、（ｂ）は右上、（ｃ）は左下、（ｄ）は右下にそれぞれに映っているオブジェクトに対して、オブジェクト個別情報を描画した例を示す図である。
【図１２】オブジェクト個別情報（オブジェクト名称）の描画パターンを示す図であって、（ａ）は上半分、（ｂ）は下半分、（ｃ）は左半分、（ｄ）は右半分にそれぞれに映っているオブジェクトに対して、オブジェクト個別情報を描画した例を示す図である。
【図１３】オブジェクト個別情報（オブジェクト名称）の描画パターンを示す図であって、映像全体に映っているオブジェクトに対して、オブジェクト個別情報を描画した例を示す図である。
【図１４】オブジェクト個別情報（オブジェクト名称）の描画パターンを示す図であって、複数の描画パターンを組み合わせた例を示す図である。
【図１５】オブジェクト個別情報（オブジェクト名称）の描画パターンの他の例を示す図であって、（ａ）は矩形形状とならない埋め込みパターンの例、（ｂ）、（ｃ）はそのときの描画パターンの例を示す図である。
【図１６】図４のコンテンツ情報取得装置のオブジェクト関連情報表示手段の表示例を示す図であって、（ａ）はオブジェクト個別情報を表示した画面、（ｂ）はオブジェクト関連情報を表示した画面、（ｃ）はオブジェクト関連情報を表示した他の画面の例を示す図である。
【図１７】図１のコンテンツ配信装置の動作を示すフローチャートである。
【図１８】図１のコンテンツ情報取得装置の動作を示すフローチャートである。
【図１９】オブジェクト個別情報（オブジェクト名称）の描画パターンの変形例を示す図であって、（ａ）はコンテンツの映像上にオブジェクト個別情報を配列して描画した例、（ｂ）はコンテンツの映像を縮小し、空き領域にオブジェクト個別情報を配列して描画した例を示す図である。
【図２０】コンテンツ情報取得装置の他の構成を示すブロック構成図である。
【図２１】図２０のコンテンツ情報取得装置のオブジェクト関連情報表示手段の表示例を示す図であって、（ａ）はタブを設けたウィンドウでオブジェクト関連情報を複数表示した例、（ｂ）は複数のウィンドウを部分的に重ねてオブジェクト関連情報を複数表示した例を示す図である。
【発明を実施するための形態】
【００２１】
以下、本発明の実施形態について図面を参照して説明する。
＜コンテンツ情報取得システムの構成＞
最初に、図１を参照して、本発明の実施形態に係るコンテンツ情報取得システムＳの構成について説明する。
図１に示したコンテンツ情報取得システムＳは、コンテンツ（映像コンテンツ）に電子透かしとして埋め込まれた情報から、コンテンツ情報の取得元を特定し、コンテンツ情報を取得して、ユーザの端末（コンテンツ情報取得装置）に提示するものである。
【００２２】
ここで、コンテンツ情報とは、コンテンツの映像内に映っているオブジェクトの名称等の個別情報（以下、オブジェクト個別情報という）や、オブジェクトに関連する関連情報（以下、オブジェクト関連情報という）である。また、オブジェクトは、コンテンツの映像上に映る人物、物等の物体であって、オブジェクト個別情報やオブジェクト関連情報が対応付けられる対象である。なお、オブジェクトは、１つの個体である必要はなく、複数の同種の物体の集合（１群のオブジェクト）であっても構わない。
【００２３】
ここでは、コンテンツ情報取得システムＳは、コンテンツ配信装置１と、コンテンツ表示装置２と、コンテンツ情報取得装置３と、複数のサーバ４とを備え、コンテンツ情報取得装置３と複数のサーバ４とを、ネットワークＮを介して接続した構成となっている。
【００２４】
コンテンツ配信装置１は、コンテンツに、少なくともコンテンツの映像内に映っているオブジェクトを特定するための識別情報（ＩＤ）を電子透かしとして埋め込んで配信するものである。例えば、コンテンツ配信装置１は、放送局に設置され、電子透かしを埋め込んだコンテンツを放送信号として送信する。
【００２５】
コンテンツ表示装置２は、コンテンツを画面上に表示するものである。ここでは、コンテンツ表示装置２は、コンテンツ配信装置１から送信されるコンテンツを受信して、画面上に表示する。例えば、コンテンツ表示装置２は、家庭内に設置されるテレビ受像装置、パブリックビューイングまたはデジタルサイネージ向けに設置される大型モニタ装置等である。
【００２６】
コンテンツ情報取得装置３は、コンテンツ表示装置２のコンテンツが表示された画面全体を撮影し、電子透かしを検出することで、撮影された画面内に映っているオブジェクトを特定し、サーバ４からコンテンツ情報を取得するものである。このコンテンツ情報取得装置３は、カメラ付き携帯端末として、スマートフォン、タブレット端末（タブレット型ＰＣを含む）等として構成することができる。
【００２７】
サーバ４は、ネットワークＮを介して、コンテンツ情報を提供するものである。
なお、サーバ４は、コンテンツの映像内に映っているオブジェクトの名称等のオブジェクト個別情報およびオブジェクト関連情報の取得元となるＷｅｂサーバ４１と、電子透かしとして埋め込まれた識別情報（ＩＤ）とＷｅｂサーバ４１のアドレス（ＵＲＬ）とを関連付けて管理する検索サーバ４２とがある。
以下、コンテンツ配信装置１、コンテンツ表示装置２、コンテンツ情報取得装置３の順で各装置の構成を説明する。なお、サーバ４については、一般的なＷｅｂサーバ、検索サーバとして構成できるため、ここでは、説明を省略する。
【００２８】
〔コンテンツ配信装置の構成〕
まず、図２を参照して、コンテンツ配信装置１の構成について説明する。ここでは、コンテンツ配信装置１は、コンテンツ記憶手段１０と、埋め込み情報記憶手段１１と、領域別電子透かし埋め込み手段１２と、送信手段１３と、を備える。
【００２９】
コンテンツ記憶手段１０は、コンテンツを記憶するもので、ハードディスク等の一般的な記憶装置で構成される。このコンテンツ記憶手段１０は、コンテンツを特定するための識別情報（コンテンツＩＤ）と対応付けてコンテンツのデータを記憶する。
【００３０】
埋め込み情報記憶手段１１は、コンテンツＩＤと、コンテンツに電子透かしとして埋め込まれるオブジェクトを識別するための識別情報（識別ＩＤ）と、埋め込み時間と、埋め込み領域とを対応付けた埋め込み情報を記憶するものである。
【００３１】
ここで、識別ＩＤは、例えば、コンテンツを特定するための識別情報であるコンテンツＩＤと、当該コンテンツの映像内に映っているオブジェクトを特定するための識別情報であるオブジェクトＩＤとで構成される。
また、埋め込み時間は、コンテンツの表示時間において、オブジェクトが表示され、当該オブジェクトに対応する電子透かしを埋め込む時間を示す。
【００３２】
また、埋め込み領域は、コンテンツ内のフレーム（映像フレーム）で、識別ＩＤを電子透かしとして埋め込む領域を示す。ここで、埋め込み領域は、フレームを予め定めた領域に区分した領域単位とする。例えば、図５（ａ）に示すように、フレームＦを縦横それぞれ２分割した４つの領域を電子透かしの埋め込み領域（Ｒ１〜Ｒ４）とし、図５（ｂ）に示すように、それぞれの領域単位で個別の電子透かし（図中、Ａ〜Ｂ）が埋め込まれる領域となる。
なお、オブジェクトが複数の分割領域に跨って配置される場合、その分割領域に対応する埋め込み領域には、同じ電子透かし（識別ＩＤ）を埋め込むこととする。
【００３３】
ここで、図６〜図９を参照（適宜図５参照）して、電子透かしの埋め込みパターンの例について説明する。なお、ここでは、電子透かしの埋め込み領域を、図５（ａ）に示したフレームＦの縦横に２分割した４つの分割領域とする。
【００３４】
１つ（１群）のオブジェクトをフレームＦの１つ分割領域上に配置する場合、図６（ａ）のＭＡ１，図６（ｂ）のＭＡ２，図６（ｃ）のＭＡ３，図６（ｄ）のＭＡ４の埋め込みパターンで示すように、そのオブジェクトを配置する分割領域を電子透かしの埋め込み領域とする。
例えば、図６（ａ）に示すように、フレームＦの分割領域である左上の領域にオブジェクト（図中、バナナ）を配置する場合、領域Ｒ１を電子透かしの埋め込み領域とする。
【００３５】
また、１つ（１群）のオブジェクトをフレームＦの２つ分割領域に跨って配置する場合、図７（ａ）のＭＢ１，図７（ｂ）のＭＢ２，図７（ｃ）のＭＢ３，図７（ｄ）のＭＢ４の埋め込みパターンで示すように、そのオブジェクトが配置される２つの分割領域を同じ電子透かしの埋め込み領域とする。
例えば、図７（ａ）に示すように、フレームの分割領域である左上および右上の領域にオブジェクト（図中、バナナ）を跨って配置する場合、領域Ｒ１，Ｒ２を同じ電子透かしの埋め込み領域とする。
【００３６】
また、１つ（１群）のオブジェクトをフレームＦの４つ分割領域に跨って配置する場合、図８のＭＣ１の埋め込みパターンで示すように、そのオブジェクトが配置される４つの分割領域全体を同じ電子透かしの埋め込み領域とする。
例えば、図８に示すように、フレームのすべての分割領域にオブジェクト（図中、バナナ）を跨って配置する場合、領域Ｒ１，Ｒ２，Ｒ３，Ｒ４を同じ電子透かしの埋め込み領域とする。
【００３７】
なお、ここでは、埋め込みパターンとして、４つの分割領域に対して、矩形領域となるように電子透かしの埋め込み領域を設定した例を示した。しかし、この埋め込みパターンは、分割領域にオブジェクトが跨って配置可能なパターンであれば、これらのパターンに限定されない。例えば、３つの分割領域（例えば、Ｌ字領域）にオブジェクトを配置する場合は、その領域（例えば、領域Ｒ１，Ｒ３，Ｒ４）を同じ電子透かしの埋め込み対象として設定すればよい。
【００３８】
また、埋め込みパターンは、１つ（１群）のオブジェクトをフレームに配置する場合に限定されない。すなわち、それぞれの埋め込みパターンが相互に重ならなければ、どのような組み合わせであっても構わない。
例えば、図９に示すように、図６（ｃ）で示した埋め込みパターンＭＡ３と、図６（ｄ）で示した埋め込みパターンＭＡ４と、図７（ａ）で示した埋め込みパターンＭＢ１とを組み合わせて、埋め込み領域を設定してもよい。
図２に戻って、コンテンツ配信装置１の構成について説明を続ける。
【００３９】
領域別電子透かし埋め込み手段１２は、埋め込み情報記憶手段１１に記憶されている埋め込み情報に基づいて、コンテンツを構成するフレームの所定領域単位で電子透かしを埋め込むものである。この領域別電子透かし埋め込み手段１２は、電子透かしを埋め込んだコンテンツを送信手段１３に出力する。
【００４０】
ここでは、領域別電子透かし埋め込み手段１２は、外部から配信対象のコンテンツを指定（例えば、コンテンツＩＤ等で指定）されることで、コンテンツ記憶手段１０から、対応するコンテンツを読み出し、埋め込み情報記憶手段１１に記憶されている当該コンテンツに対応する埋め込み情報により、当該コンテンツに電子透かしを埋め込む。
すなわち、領域別電子透かし埋め込み手段１２は、埋め込み情報で特定される埋め込み時間に対応するコンテンツのフレームにおいて、埋め込み領域で特定される領域（Ｒ１，Ｒ２等）に、オブジェクトを識別するための識別情報（識別ＩＤ）を埋め込む。
【００４１】
ただし、領域別電子透かし埋め込み手段１２は、各埋め込み領域の境界に、予め定めた間隔（ガードバンド）を設け、そこで境界部分近づく程、電子透かしを埋め込む画素の比率を相対的に減少させる等の処理を施すこととする。これによって、後記するコンテンツ情報取得装置３が、コンテンツを撮影した画像から、領域を区分して電子透かしを検出する際に、電子透かしの視認性を低減させることが可能になる。
【００４２】
なお、この領域別電子透かし埋め込み手段１２は、埋め込み時間に対応するフレームごとに同じ電子透かし（識別ＩＤ）を埋め込むこととしてもよいし、連続したフレーム、例えば、１５秒間（１秒間に３０フレーム、４５０フレーム等）で１つの識別ＩＤを埋め込むこととしてもよい。ただし、コンテンツ情報取得装置３において、コンテンツをデジタルカメラで静止画像として撮影することとする場合には、１フレーム内に識別ＩＤを埋め込む必要がある。
なお、電子透かしをどの単位（１フレーム単位、複数フレーム単位）で埋め込むかは、予め後記するコンテンツ情報取得装置３において、既知であるとする。
この領域別電子透かし埋め込み手段１２が行う電子透かしの埋め込み手法は、既知の手法を用いることができる。例えば、国際公開第０５／０７９０７２号公報で開示されている手法等を用いる。
【００４３】
送信手段１３は、領域別電子透かし埋め込み手段１２で電子透かしが埋め込まれたコンテンツを、コンテンツ表示装置２に送信するものである。ここでは、送信手段１３は、コンテンツを符号化し、放送信号に変調して、放送波として送信する。
なお、コンテンツ配信装置１とコンテンツ表示装置２との間を通信回線（例えば、無線ＬＡＮ等）で接続した形態とする場合、送信手段１３を通信制御手段で構成し、通信回線を介して、コンテンツを送信することとすればよい。
【００４４】
このようにコンテンツ配信装置１を構成することで、コンテンツ配信装置１は、コンテンツの映像内に映っているオブジェクトに対して、所定の領域単位で電子透かしを埋め込むことができる。また、コンテンツ配信装置１は、予め定めた領域に電子透かしを埋め込むことで、電子透かしを検出する側では、容易に電子透かしの位置を認識することができる。
【００４５】
〔コンテンツ表示装置の構成〕
次に、図３を参照して、コンテンツ表示装置２の構成について説明する。ここでは、コンテンツ表示装置２は、受信手段２０と、表示手段２１と、を備える。
【００４６】
受信手段２０は、コンテンツ配信装置１から送信されるコンテンツを受信するものである。ここでは、受信手段２０は、放送波として送信される放送信号を復調し、符号復号することで、コンテンツとして受信する。この受信手段２０は、受信したコンテンツを表示手段２１に出力する。
なお、コンテンツ表示装置２とコンテンツ配信装置１との間を通信回線（例えば、無線ＬＡＮ等）で接続した形態とする場合、受信手段２０を通信制御手段で構成し、通信回線を介して、コンテンツを受信することとすればよい。
【００４７】
表示手段２１は、受信手段２０で受信したコンテンツを画面上に表示するものであって、一般的な液晶モニタ等で構成される。
なお、表示手段２１の画面のサイズは、コンテンツ情報取得装置３が画面を撮影するために、一般的なモニタサイズ（例えば、３２インチ〔３２型〕）以上が好ましい。
このようにコンテンツ表示装置２を構成することで、コンテンツ表示装置２は、コンテンツ配信装置１から送信されたコンテンツを、コンテンツ情報取得装置３が撮影可能な形態で表示することができる。
【００４８】
〔コンテンツ情報取得装置の構成〕
次に、図４を参照して、コンテンツ情報取得装置３の構成について説明する。ここでは、コンテンツ情報取得装置３は、撮影手段３０と、領域別電子透かし検出手段３１と、領域別情報記憶手段３２と、オブジェクト個別情報表示手段３３と、表示位置記憶手段３４と、オブジェクト関連情報表示手段３５と、ネットワーク接続手段３６と、表示手段３７と、指定手段３８と、を備える。
【００４９】
撮影手段３０は、コンテンツ表示装置２の表示画面を撮影するものであって、一般的なデジタルカメラ、ビデオカメラ等で構成される。
この撮影手段３０は、撮影した撮影画像（静止画または動画像）を、領域別電子透かし検出手段３１と、表示手段３７とに出力する。
【００５０】
領域別電子透かし検出手段３１は、撮影手段３０で撮影された撮影画像において、予め定めた領域単位で電子透かしを検出するものである。ここでは、領域別電子透かし検出手段３１は、画像分割手段３１０と、電子透かし検出手段３１１と、を備える。
画像分割手段３１０は、撮影手段３０で撮影された撮影画像をフレーム単位で予め定めた領域に分割するものである。
ここでは、画像分割手段３１０は、電子透かしの埋め込み領域として、フレームを、コンテンツ配信装置１と同様の区分で分割する。すなわち、ここでは、撮像画像を、縦横それぞれに２分割した４つの画像に分割する。
この画像分割手段３１０は、分割した画像を、電子透かし検出手段３１１に出力する。
【００５１】
電子透かし検出手段３１１は、画像分割手段３１０で分割された画像から、電子透かしを検出するものである。なお、電子透かしの検出手法は、電子透かしの埋め込み手法と対応したものであれば、一般的な手法を用いればよい。
ここでは、電子透かし検出手段３１１で検出される電子透かしは、コンテンツ配信装置１で埋め込まれた識別ＩＤ、すなわち、コンテンツを特定するための識別情報であるコンテンツＩＤと、当該コンテンツの映像内に映っているオブジェクトを特定するための識別情報であるオブジェクトＩＤとで構成される識別情報である。
【００５２】
この電子透かし検出手段３１１は、コンテンツ配信装置１における電子透かしの埋め込み単位（１フレーム単位、複数フレーム単位）と同様の単位で、電子透かしを検出する。
この電子透かし検出手段３１１は、分割画像の位置に対応する電子透かしの埋め込み領域の位置（Ｒ１〜Ｒ４：図５（ａ）参照）と、検出した識別ＩＤとを対応付けて、領域別情報記憶手段３２に記憶する。
なお、電子透かし検出手段３１１は、電子透かしの埋め込み領域から電子透かしが検出されない場合、当該領域には、識別ＩＤが存在しない旨を示すコード（例えば、ＮＵＬＬ）を対応付けて領域別情報記憶手段３２に記憶する。
また、電子透かし検出手段３１１は、電子透かしを検出した場合、その旨をオブジェクト個別情報表示手段３３に通知する。
【００５３】
ここで、図１０を参照（適宜図４参照）して、領域別電子透かし検出手段３１の処理内容について模式的に説明する。
図１０（ａ）は、撮影手段３０によって撮影された撮影画像を示し、複数のフレームＦに亘って、４つの埋め込み領域に電子透かしが埋め込まれた状態を表している。
ここで、領域Ｒ１には、オブジェクトとして“バナナ”が映っており、識別ＩＤとして“Ａ”（バナナの識別ＩＤ）が埋め込まれている。また、領域Ｒ２には、オブジェクトとして“リンゴ”が映っており、識別ＩＤとして“Ｂ”（リンゴの識別ＩＤ）が埋め込まれている。また、領域Ｒ３には、オブジェクトとして“ブドウ”が映っており、識別ＩＤとして“Ｃ”（ブドウの識別ＩＤ）が埋め込まれている。また、領域Ｒ４には、オブジェクトとして“イチゴ”が映っており、識別ＩＤとして“Ｄ”（イチゴの識別ＩＤ）が埋め込まれている。
【００５４】
ここで、画像分割手段３１０は、図１０（ｂ）に示すように、図１０（ａ）の撮影画像をフレームＦごとに予め定めた４つの領域に分割する。これによって、各分割画像には、電子透かしが埋め込まれていれば、１つの識別ＩＤだけが埋め込まれていることになる。
そして、電子透かし検出手段３１１は、図１０（ｂ）の各分割画像において、電子透かしを検出することで、図１０（ｃ）に示すように、それぞれのオブジェクトに対応する識別ＩＤ（Ａ，Ｂ，Ｃ，Ｄ）を検出する。
図４に戻って、コンテンツ情報取得装置３の構成について説明を続ける。
【００５５】
領域別情報記憶手段３２は、電子透かしの埋め込み領域ごとに、領域別電子透かし検出手段３１で検出された電子透かし（識別ＩＤ）を記憶するものである。この領域別情報記憶手段３２は、一般的なメモリで構成することができる。
【００５６】
オブジェクト個別情報表示手段３３は、電子透かし（識別ＩＤ）が埋め込まれたコンテンツの映像内に映っているオブジェクトの名称等のオブジェクト個別情報を取得して、取得したオブジェクト個別情報をオブジェクトに対応付けて画面上に表示するものである。ここでは、オブジェクト個別情報表示手段３３は、ＩＤ別情報取得手段３３０と、表示位置決定手段３３１と、ＩＤ別情報表示手段３３２と、を備える。
【００５７】
ＩＤ別情報取得手段３３０は、領域別電子透かし検出手段３１から電子透かし（識別ＩＤ）を検出した旨を通知された際に、識別ＩＤに対応するオブジェクト個別情報を、ネットワーク接続手段３６を介して取得するものである。
このＩＤ別情報取得手段３３０は、領域別情報記憶手段３２に記憶されている識別ＩＤを読み出し、当該識別ＩＤに対応するオブジェクト個別情報を、ネットワーク接続手段３６を介して取得する。
【００５８】
ここでは、ＩＤ別情報取得手段３３０は、予め定めた固定の検索サーバ４２（サーバ４）において、識別ＩＤに対応するオブジェクト個別情報を提供するＷｅｂサーバ４１（サーバ４）を検索し、そのＷｅｂサーバ４１から、識別ＩＤに対応するオブジェクト個別情報を取得する。この固定の検索サーバ４２は、例えば、コンテンツ配信装置１内に組み込まれたものであってもよい。
【００５９】
また、例えば、電子透かしとして、識別ＩＤ以外にオブジェクト個別情報の取得元を示すアドレスを埋め込んでおき、ＩＤ別情報取得手段３３０は、そのアドレスで特定されるＷｅｂサーバ４１から、オブジェクト個別情報を取得することとしてもよい。
また、ＩＤ別情報取得手段３３０は、複数の埋め込み領域に同じ識別ＩＤが埋め込まれている場合（例えば、図７等）、その識別ＩＤに対して１つのオブジェクト個別情報を取得することとする。
このＩＤ別情報取得手段３３０は、取得した識別ＩＤに対するオブジェクト個別情報を、ＩＤ別情報表示手段３３２に出力する。
【００６０】
なお、識別ＩＤに対応するオブジェクト個別情報がＷｅｂサーバ４１から取得できない等のエラーが発生した場合、ＩＤ別情報取得手段３３０は、その識別ＩＤに対応するオブジェクト個別情報のＩＤ別情報表示手段３３２への出力は行わない。また、このとき、ＩＤ別情報取得手段３３０は、当該識別ＩＤに対応するオブジェクト個別情報が存在しない旨を表示位置決定手段３３１に通知する。
【００６１】
表示位置決定手段３３１は、領域別電子透かし検出手段３１から電子透かしを検出した旨を通知された際に、オブジェクト個別情報の表示位置を予め定めた規則に基づいて決定するものである。
【００６２】
ここでは、表示位置決定手段３３１は、ある領域のみに識別ＩＤが埋め込まれている場合、その領域上の位置（例えば、領域中心）をオブジェクト個別情報の表示位置とする。
また、表示位置決定手段３３１は、複数の領域に同じ識別ＩＤが埋め込まれている場合、その複数の領域に対する予め定めた位置をオブジェクト個別情報の表示位置とする。
例えば、同じ識別ＩＤが埋め込まれた複数の領域を連結して全体として矩形形状となる場合、表示位置決定手段３３１は、その矩形形状の領域上の位置（例えば、矩形形状領域の中心）をオブジェクト個別情報の表示位置とする。
【００６３】
また、例えば、同じ識別ＩＤが埋め込まれた複数の領域を連結しても全体として矩形形状とならない場合（Ｌ字形状等）、表示位置決定手段３３１は、その識別ＩＤが埋め込まれた複数の領域において、１つの領域を基準領域として、当該基準領域の水平方向および垂直方向でその識別ＩＤが埋め込まれた領域の個数が最大となる基準領域上の位置（例えば、領域中心）をオブジェクト個別情報の表示位置とする。
また、同じ識別ＩＤが埋め込まれた複数の領域が矩形形状とならない場合、表示位置決定手段３３１は、その複数の領域で構成される図形の重心をオブジェクト個別情報の表示位置としてもよい。
この表示位置決定手段３３１は、識別ＩＤに対応するオブジェクト個別情報の表示位置をＩＤ別情報表示手段３３２に出力する。
【００６４】
また、表示位置決定手段３３１は、識別ＩＤに対応付けてオブジェクト個別情報の表示位置（例えば、識別ＩＤのタグの位置、大きさ）を、表示位置記憶手段３４に記憶する。
なお、表示位置決定手段３３１は、ＩＤ別情報取得手段３３０から、識別ＩＤに対応するオブジェクト個別情報が存在しない旨を通知された場合、当該識別ＩＤに対応するオブジェクト個別情報の表示位置の決定を行わないこととする。
【００６５】
ＩＤ別情報表示手段３３２は、ＩＤ別情報取得手段３３０で取得した識別ＩＤに対応するオブジェクト個別情報を、表示位置決定手段３３１で決定された識別ＩＤに対応するオブジェクト個別情報の表示位置に表示するものである。
このＩＤ別情報表示手段３３２は、描画内容（オブジェクト個別情報〔オブジェクトの名称）と、その表示位置とを表示手段３７に出力する。
【００６６】
なお、ここでは、ＩＤ別情報表示手段３３２が出力する描画内容は、オブジェクト個別情報（オブジェクトの名称）の文字列が領域として含まれる大きさのタグに当該文字列を記述した画像とする。また、ＩＤ別情報表示手段３３２は、当該タグの中心が表示位置となるように、表示手段３７に指示する。
【００６７】
ここで、図１１〜図１４を参照（適宜図４参照）して、図６〜図９で説明した埋め込み領域に電子透かし（識別ＩＤ）が埋め込まれている場合のオブジェクト個別情報の描画パターンの例について説明する。なお、図１１〜図１４は、コンテンツ情報取得装置３の画面上の内容を示している。
【００６８】
図６で説明した１つ（１群）のオブジェクトがフレームＦの１つ分割領域上に配置され、その分割領域のみに電子透かしが埋め込まれている場合、オブジェクト個別情報表示手段３３は、図１１（ａ）のＤＡ１，図１１（ｂ）のＤＡ２，図１１（ｃ）のＤＡ３，図１１（ｄ）のＤＡ４の描画パターンで示すように、撮像画像を４分割した領域の中で、電子透かしが検出された領域に対応する領域の中心にオブジェクト個別情報を描画する。
例えば、オブジェクト個別情報表示手段３３は、図１１（ａ）に示すように、オブジェクト（図中、バナナ）が配置されている分割領域Ｄ１の中心にオブジェクトの名称を記載したタグＴ１を描画する。
【００６９】
また、図７で説明した１つ（１群）のオブジェクトがフレームＦの２つ分割領域に跨って配置され、２つの分割領域に同じ電子透かしが埋め込まれている場合、オブジェクト個別情報表示手段３３は、図１２（ａ）のＤＢ１，図１２（ｂ）のＤＢ２，図１２（ｃ）のＤＢ３，図１２（ｄ）のＤＢ４の描画パターンで示すように、撮像画像を４分割した領域の中で、電子透かしが検出された２つの領域に対応する領域の中心にオブジェクト個別情報を描画する。
例えば、オブジェクト個別情報表示手段３３は、図１２（ａ）に示すように、オブジェクト（図中、バナナ）が配置されている分割領域Ｄ１，Ｄ２を連結した矩形領域の中心にオブジェクトの名称を記載したタグＴ１を描画する。
【００７０】
また、図８で説明した１つ（１群）のオブジェクトがフレームＦの４つ分割領域に跨って配置され、４つの分割領域に同じ電子透かしが埋め込まれている場合、オブジェクト個別情報表示手段３３は、図１３のＤＣ１の描画パターンで示すように、撮像画像を４分割した領域の中で、電子透かしが検出された４つの領域に対応する領域の中心、すなわち表示画面全体の中心にオブジェクト個別情報を描画する。
例えば、オブジェクト個別情報表示手段３３は、図１３に示すように、オブジェクト（図中、バナナ）が配置されている分割領域Ｄ１，Ｄ２，Ｄ３，Ｄ４を連結した矩形領域の中心にオブジェクトの名称を記載したタグＴ１を描画する。
【００７１】
また、図９で説明した複数の埋め込みパターンで電子透かしが埋め込まれている場合、オブジェクト個別情報表示手段３３は、図１４のＤＸの描画パターンで示すように、同じ電子透かしが検出された領域ごとの中心にオブジェクト個別情報を描画する。
【００７２】
次に、図１５を参照（適宜図４参照）して、同じ識別ＩＤが埋め込まれた複数の領域を連結しても全体として矩形形状にならない場合のオブジェクト個別情報の描画パターンの例について説明する。
ここでは、図１５（ａ）の埋め込みパターンＭＬに示すように、１つ（１群）のオブジェクト（図中、イチゴ）がフレームＦにおいて、Ｌ字形状の領域Ｒ１，Ｒ３，Ｒ４に跨って配置され、領域Ｒ１，Ｒ３，Ｒ４に同じ識別ＩＤが埋め込まれていたとする。
この場合、例えば、オブジェクト個別情報表示手段３３は、図１５（ｂ）の描画パターンＤＬ１に示すように、同じ識別ＩＤが埋め込まれた複数の領域において、１つの領域を基準領域として、当該基準領域の水平方向および垂直方向でその識別ＩＤが埋め込まれた領域の個数が最大となる基準領域上にオブジェクト個別情報を描画する。なお、個数が最大となる基準領域が複数存在する場合は、いずれか１つの基準領域上、例えば、より画面上部、または、より画面左に位置する領域にオブジェクト個別情報を描画することとする。
【００７３】
図１５（ｂ）の例で、分割領域Ｄ１を基準領域とした場合、分割領域Ｄ１の水平方向および垂直方向で同じ識別ＩＤが埋め込まれた領域の個数は、分割領域Ｄ１，Ｄ３の２つである。
また、分割領域Ｄ３を基準領域とした場合、分割領域Ｄ３の水平方向および垂直方向で同じ識別ＩＤが埋め込まれた領域の個数は、分割領域Ｄ１，Ｄ３，Ｄ４の３つである。
また、分割領域Ｄ４を基準領域とした場合、分割領域Ｄ４の水平方向および垂直方向で同じ識別ＩＤが埋め込まれた領域の個数は、分割領域Ｄ３，Ｄ４の２つである。
よって、この場合、オブジェクト個別情報表示手段３３は、水平方向と垂直方向とで同じ識別ＩＤが埋め込まれた領域の個数が最大となる分割領域Ｄ３の中心にオブジェクト個別情報を描画する。
【００７４】
また、例えば、オブジェクト個別情報表示手段３３は、図１５（ｃ）の描画パターンＤＬ２に示すように、同じ識別ＩＤが埋め込まれた複数の領域を連結した図形の重心にオブジェクト個別情報を描画する。
図１５（ｃ）の例の場合、オブジェクト個別情報表示手段３３は、分割領域Ｄ１，Ｄ３，Ｄ４を連結した図形の重心（面積重心）にオブジェクト個別情報を描画する。なお、オブジェクト個別情報表示手段３３は、同じ識別ＩＤが埋め込まれた複数の領域を連結し全体として矩形形状になる場合でも、オブジェクト個別情報の描画位置を、その矩形形状の図形の重心とて計算することとしてもよい。
図４に戻って、コンテンツ情報取得装置３の構成について説明を続ける。
【００７５】
表示位置記憶手段３４は、オブジェクト個別情報表示手段３３がオブジェクト個別情報を表示した位置（例えば、タグの位置、大きさ）を、識別ＩＤとともに記憶するものである。この表示位置記憶手段３４は、一般的なメモリ等で構成することができる。
【００７６】
オブジェクト関連情報表示手段３５は、電子透かし（識別ＩＤ）が埋め込まれたコンテンツの映像内に映っているオブジェクトに関連するオブジェクト関連情報を取得して、取得したオブジェクト関連情報を画面上に表示するものである。ここでは、オブジェクト関連情報表示手段３５は、関連情報取得手段３５０と、関連情報表示手段３５１と、を備える。
【００７７】
関連情報取得手段３５０は、ユーザが指定したオブジェクトに対応するオブジェクト関連情報を、ネットワーク接続手段３６を介して取得するものである。
ここでは、関連情報取得手段３５０は、指定手段３８を介してユーザに指定されたオブジェクト個別情報のタグ位置に対応する領域の識別ＩＤを表示位置記憶手段３４から読み出し、予め定めた固定の検索サーバ４２（サーバ４）において、選択されたオブジェクト（オブジェクト名称）に対応するオブジェクト関連情報を提供するＷｅｂサーバ４１（サーバ４）を検索し、そのＷｅｂサーバ４１から、識別ＩＤに対応するオブジェクト関連情報を取得する。
【００７８】
なお、オブジェクト個別情報とオブジェクト関連情報とを同じＷｅｂサーバ４１で提供する場合、関連情報取得手段３５０は、ＩＤ別情報取得手段３３０ですでに検索済みのＷｅｂサーバ４１からオブジェクト関連情報を取得することとしてもよい。
また、関連情報取得手段３５０は、ユーザに指定されたオブジェクト個別情報のタグ位置のみならず、ユーザが指定した位置が、識別ＩＤが埋め込まれている領域であれば、当該領域に映っているオブジェクトを指定したとみなしてもよい。
この関連情報取得手段３５０は、取得したオブジェクト関連情報を、関連情報表示手段３５１に出力する。
【００７９】
関連情報表示手段３５１は、関連情報取得手段３５０で取得されたオブジェクト関連情報を表示するものである。
ここでは、関連情報表示手段３５１は、オブジェクト関連情報であるＨＴＭＬ等のページ記述言語で記述されたＷｅｂページを解釈するブラウザであって、取得したＷｅｂページを表示データに変換して、表示手段３７に出力する。
なお、関連情報表示手段３５１は、オブジェクト関連情報を表示する際に、コンテンツを一旦非表示にして、表示画面全体にオブジェクト関連情報を表示することとしてもよいし、コンテンツを一旦縮小し、空き領域にオブジェクト関連情報を表示することとしてもよい。
【００８０】
例えば、図１６（ａ）に示すように、オブジェクト上にオブジェクト名称（オブジェクト個別情報）を記載したタグが表示された状態で、関連情報取得手段３５０が、ユーザに選択されたタグＴ１に記載のオブジェクト名称（オブジェクト個別情報）に関連するＷｅｂページ（オブジェクト関連情報）を取得したとする。
このとき、関連情報表示手段３５１は、図１６（ｂ）に示すように、表示画面全体にＷｅｂページを表示する。あるいは、関連情報表示手段３５１は、図１６（ｃ）に示すように、図１６（ａ）の画面を縮小し、空き領域にＷｅｂページを表示する。
【００８１】
ネットワーク接続手段３６は、ネットワークＮに接続され、要求のあったサーバ４からコンテンツ情報を取得するものである。
このネットワーク接続手段３６は、オブジェクト個別情報表示手段３３から指定されたサーバ４にアクセスし、オブジェクト個別情報を取得したり、オブジェクト関連情報表示手段３５から指定されたサーバ４にアクセスし、オブジェクト関連情報を取得したりする。
【００８２】
表示手段３７は、撮影手段３０で撮影されたコンテンツを画面上に表示するものであって、一般的な液晶モニタ等で構成される。
この表示手段３７は、オブジェクト個別情報表示手段３３からオブジェクト個別情報およびその表示位置が入力された場合、コンテンツ上の指定された表示位置にオブジェクト個別情報を合成（重畳）して表示する。
また、表示手段３７は、オブジェクト関連情報表示手段３５からオブジェクト関連情報が入力された場合、コンテンツを非表示あるいは縮小して、オブジェクト関連情報を表示する。
【００８３】
指定手段３８は、コンテンツ上のオブジェクトの位置をユーザから指定されるものである。この指定手段３８は、表示手段３７がコンテンツを表示する画面上に備えたタッチパネルから入力されるユーザのタップ操作により画面上の位置が指定される。
なお、指定手段３８は、マウス操作によって、画面上の位置が指定されるものであっても構わない。
【００８４】
このようにコンテンツ情報取得装置３を構成することで、コンテンツ情報取得装置３は、予め定めた領域の区分単位で電子透かしを検出するだけで、コンテンツの映像内に映っているオブジェクトを認識することができる。
また、コンテンツ情報取得装置３は、コンテンツ関連情報を取得可能なオブジェクトを視覚的に提示することができる。そのため、コンテンツ情報取得装置３は、ユーザのタップ操作等の簡易な指定で、オブジェクト関連情報を、ネットワークＮを介して取得して提示することができる。
【００８５】
なお、コンテンツ情報取得装置３は、コンピュータを前記した各手段として機能させるためのコンテンツ情報取得プログラムで動作させることができる。このコンテンツ情報取得プログラムは、ＣＤ−ＲＯＭ等の記録媒体に記録して配布したり、通信回線を介して配信したりすることができる。また、このコンテンツ情報取得プログラムは、スマートフォンや、タブレット端末上で動作するアプリケーションとして配布することも可能である。
【００８６】
＜コンテンツ情報取得システムの動作＞
次に、本発明の実施形態に係るコンテンツ情報取得システムＳの動作について説明する。ここでは、コンテンツ内のオブジェクトに対する電子透かしの埋め込みおよび検出を行うコンテンツ配信装置１およびコンテンツ情報取得装置３の動作について説明する。なお、コンテンツ表示装置２およびサーバ４については、詳細な説明は省略し、適宜、コンテンツ配信装置１およびコンテンツ情報取得装置３の動作において付加的に説明することとする。
【００８７】
〔コンテンツ配信装置の動作〕
最初に、図１７を参照（構成については適宜図２参照）して、コンテンツ配信装置１の動作について説明する。
まず、コンテンツ配信装置１は、埋め込み情報記憶手段１１に、コンテンツを特定するためのコンテンツＩＤに対応付けて、当該コンテンツに電子透かしとして埋め込まれるオブジェクトを識別するための識別情報（識別ＩＤ）と、埋め込み時間と、埋め込み領域とを埋め込み情報として記憶しておく（ステップＳ１）。
ここで、識別ＩＤは、コンテンツＩＤと、当該コンテンツの映像内に映っているオブジェクトを特定するためのオブジェクトＩＤとを連結した値とする。
これによって、どのコンテンツにおいて、どの時間区間で、どの領域に電子透かし（識別ＩＤ）が埋め込まれるのかが特定されることになる。
【００８８】
そして、コンテンツ配信装置１は、領域別電子透かし埋め込み手段１２によって、コンテンツＩＤで指定されたコンテンツをコンテンツ記憶手段１０から読み出し、コンテンツＩＤに対応して埋め込み情報記憶手段１１に記憶されている埋め込み情報に基づいて、コンテンツに対応する識別情報（識別ＩＤ）を電子透かしとして埋め込む。
このとき、領域別電子透かし埋め込み手段１２は、埋め込み情報で特定される埋め込み時間に対応するコンテンツのフレームにおいて、埋め込み領域で特定される所定領域単位で、オブジェクトを識別するための識別情報（識別ＩＤ）を埋め込む（ステップＳ２）。
そして、コンテンツ配信装置１は、送信手段１３によって、ステップＳ２で電子透かしを埋め込んだコンテンツを、コンテンツ表示装置２に送信する（ステップＳ３）。
【００８９】
以上の動作によって、コンテンツ配信装置１は、コンテンツに映っているオブジェクトを、予め定めた領域でコンテンツのフレームを区分した領域単位で認識できるように、オブジェクトに対応した電子透かしを埋め込むことができる。
このコンテンツ表示装置２が送信したコンテンツは、コンテンツ表示装置２の受信手段２０によって受信され、表示手段２１によって表示画面上に表示される。
【００９０】
〔コンテンツ情報取得装置の動作〕
次に、図１８を参照（構成については適宜図４参照）して、コンテンツ情報取得装置３の動作について説明する。
まず、コンテンツ情報取得装置３は、撮影手段３０によって、コンテンツ表示装置２の表示画面全体を撮影する（ステップＳ１１）。
【００９１】
そして、コンテンツ情報取得装置３は、領域別電子透かし検出手段３１によって、ステップＳ１で撮影された撮影画像において、予め定めた領域単位で電子透かしを検出する。
すなわち、コンテンツ情報取得装置３は、領域別電子透かし検出手段３１の画像分割手段３１０によって、撮影画像をフレーム単位で予め定めた領域に分割する（ステップＳ１２）。
そして、コンテンツ情報取得装置３は、領域別電子透かし検出手段３１の電子透かし検出手段３１１によって、画像分割手段３１０で分割された画像から、電子透かし（識別ＩＤ）を検出する（ステップＳ１３）。
【００９２】
そして、コンテンツ情報取得装置３は、オブジェクト個別情報表示手段３３によって、電子透かし（識別ＩＤ）が埋め込まれたコンテンツ内のオブジェクト個別情報を、サーバ４から取得して、そのオブジェクト個別情報をオブジェクトに対応付けて画面上に表示する。
すなわち、コンテンツ情報取得装置３は、オブジェクト個別情報表示手段３３のＩＤ別情報取得手段３３０によって、ステップＳ１３で検出された電子透かしである識別ＩＤに対応するオブジェクト個別情報を、ネットワーク接続手段３６を介して、サーバ４から取得する（ステップＳ１４）。
さらに、コンテンツ情報取得装置３は、オブジェクト個別情報表示手段３３の表示位置決定手段３３１によって、同一の識別ＩＤが検出された領域に対して、予め定めた規則でオブジェクト個別情報の表示位置を決定する（ステップＳ１５）。
【００９３】
そして、コンテンツ情報取得装置３は、オブジェクト個別情報表示手段３３のＩＤ別情報表示手段３３２によって、表示手段３７がコンテンツを表示している状態で、ステップＳ１４で取得したオブジェクト個別情報の文字列を含んだタグを、ステップＳ１５で決定された表示位置に表示（描画）する（ステップＳ１６）。
ここまでの動作で、コンテンツ情報取得装置３の画面上には、オブジェクト関連情報が取得可能なオブジェクトごとに、オブジェクト個別情報（オブジェクト名称）がタグとして表示された状態となる。
【００９４】
そして、コンテンツ情報取得装置３は、ユーザからタグを選択されることで、オブジェクト関連情報表示手段３５によって、当該タグに対応するオブジェクトのオブジェクト関連情報を、サーバ４から取得して、画面上に表示する。
すなわち、コンテンツ情報取得装置３は、オブジェクト関連情報表示手段３５の関連情報取得手段３５０によって、指定手段３８を介してユーザが指定したタグの位置で特定される識別ＩＤに対応するオブジェクト関連情報を、ネットワーク接続手段３６を介して、サーバ４から取得する（ステップＳ１７）。
【００９５】
そして、コンテンツ情報取得装置３は、関連情報表示手段３５１によって、ステップＳ１７で取得したオブジェクト関連情報を表示する（ステップＳ１８）。
以上の動作によって、コンテンツ情報取得装置３は、コンテンツ関連情報を取得可能なオブジェクトを視覚的に提示するとともに、ユーザが選択したオブジェクトに対応するオブジェクト関連情報を、サーバ４から取得して表示することができる。
【００９６】
〔変形例〕
以上、本発明の実施形態に係るコンテンツ情報取得システムＳの構成および動作について説明したが、本発明はこの実施形態に限定されるものではない。
例えば、ここでは、電子透かしの埋め込み領域を、フレームを縦横それぞれ２分割した４つの領域（図５（ａ）参照）として説明した。しかし、この埋め込み領域は、予め定めた分割数の領域であれば、その数は限定されない。例えば、埋め込み領域は、フレームを縦横それぞれ３分割した９つの領域とするなど、フレームを縦横それぞれ２よりも大きい分割数で分割した領域としてもよい。また、縦横の分割数は同じである必要はなく、縦２分割、横３分割等、縦横それぞれ異なる分割数としても構わない。
【００９７】
また、ここでは、コンテンツ配信装置１の領域別電子透かし埋め込み手段１２において、電子透かしとして、識別ＩＤのみを埋め込むこととした。しかし、領域別電子透かし埋め込み手段１２は、識別ＩＤ以外に、オブジェクト個別情報およびオブジェクト関連情報の取得元となるサーバ４のアドレス（ＵＲＬ）を併せて埋め込むこととしてもよい。
その場合、コンテンツ情報取得装置３は、領域別情報記憶手段３２に、埋め込み領域に対応付けて、領域別電子透かし検出手段３１で検出された電子透かし（識別ＩＤ）とアドレス（ＵＲＬ）とを記憶する。
【００９８】
そして、オブジェクト個別情報表示手段３３のＩＤ別情報取得手段３３０や、オブジェクト関連情報表示手段３５の関連情報取得手段３５０において、識別ＩＤに対応するサーバ４を検索することなく、直接、領域別情報記憶手段３２に記憶されているアドレス（ＵＲＬ）から、オブジェクト個別情報やオブジェクト関連情報を取得することができる。
【００９９】
また、ここでは、コンテンツ情報取得装置３は、領域別電子透かし検出手段３１で電子透かしを検出することした。しかし、電子透かしの検出は、ネットワークＮ上の専用サーバ（不図示）で行うこととしてもよい。その場合、領域別電子透かし検出手段３１は、撮影手段３０で撮影された撮影画像を、電子透かし検出の専用サーバに送信し、検出結果を取得することとすればよい。
【０１００】
また、ここでは、コンテンツ情報取得装置３は、オブジェクト個別情報を、コンテンツのオブジェクトの位置に表示させることとした（図１１〜図１４参照）。
しかし、オブジェクト個別情報は、必ずしもオブジェクト上に表示しなくてもよい。例えば、図１９（ａ）、（ｂ）に示すように、撮像画像に映っているオブジェクトに対応するオブジェクト個別情報を画面上に整列して表示させてもよい。
【０１０１】
その場合、コンテンツ情報取得装置３の表示位置決定手段３３１は、識別ＩＤが検出された領域に依存せず、検出された識別ＩＤの数に応じて、個々のオブジェクト個別情報を一定間隔で配置するように表示位置を決定する。なお、この場合も、複数の領域に同じ識別ＩＤが埋め込まれていれば、その識別ＩＤに対応するオブジェクト個別情報の表示位置は１つである。
【０１０２】
また、ここでは、コンテンツ情報取得装置３は、オブジェクト名称等のオブジェクト個別情報を画面上に表示した後、ユーザによってオブジェクトが指定されたタイミングでオブジェクト関連情報を表示することとした。
しかし、コンテンツを撮影した撮影画像に、電子透かしが埋め込まれていた場合、オブジェクト個別情報を表示せずに、直接オブジェクト関連情報を表示することとしてもよい。
【０１０３】
その場合、コンテンツ情報取得装置は、図２０に示した構成とすればよい。以下、図２０に示したコンテンツ情報取得装置３Ｂの構成について説明する。
この図２０に示したコンテンツ情報取得装置３Ｂは、図４で説明したコンテンツ情報取得装置３から、オブジェクト個別情報表示手段３３と、表示位置記憶手段３４と、を省略して構成している。ここでは、同一の機能を有する構成については、同一の符号を付して説明を省略し、異なる構成についてのみ説明する。
【０１０４】
領域別電子透かし検出手段３１Ｂの電子透かし検出手段３１１Ｂは、図４で説明した電子透かし検出手段３１１と同じ機能を有し、単に、電子透かしを検出した旨の通知先がオブジェクト個別情報表示手段３３から、オブジェクト関連情報表示手段３５Ｂに変更されているだけである。
【０１０５】
オブジェクト関連情報表示手段３５Ｂの関連情報取得手段３５０Ｂは、図４で説明した関連情報取得手段３５０と基本的には同じ機能を有する。ただし、関連情報取得手段３５０Ｂは、領域別電子透かし検出手段３１Ｂから、電子透かしを検出した旨を通知された段階で動作し、領域別情報記憶手段３２に記憶されている識別ＩＤに対応するオブジェクト関連情報を、ネットワーク接続手段３６を介して取得する。
このとき、関連情報取得手段３５０Ｂは、領域別情報記憶手段３２に記憶されている識別ＩＤが複数ある場合、その数分オブジェクト関連情報を取得するが、同一の識別ＩＤについては、１つのオブジェクト関連情報を取得することとする。
この関連情報取得手段３５０Ｂは、取得した１以上のオブジェクト関連情報を、関連情報表示手段３５１Ｂに出力する。
【０１０６】
関連情報表示手段３５１Ｂは、図４で説明した関連情報表示手段３５１と同様、オブジェクト関連情報を表示するものであって、オブジェクト関連情報であるＨＴＭＬ等のページ記述言語で記述されたＷｅｂページを解釈するブラウザである。
ただし、関連情報表示手段３５１Ｂは、複数のオブジェクト関連情報を表示するため、１つのオブジェクト関連情報に対して１つのウィンドウ（表示領域）を設け、指定手段３８Ｂで指定されたウィンドウが最前面となるように表示制御を行う。
また、図４で説明した指定手段３８が、オブジェクトを指定するものであったのに対し、指定手段３８Ｂは、複数のオブジェクト関連情報の中から１つを指定するものとして機能する。
【０１０７】
例えば、コンテンツ情報取得装置３Ｂは、オブジェクト関連情報表示手段３５Ｂによって、図２１（ａ）に示すように、複数のオブジェクト関連情報（Ｗｅｂページ）のそれぞれにタブＴを設けたウィンドウＷでオブジェクト関連情報を表示する。そして、指定手段３８Ｂによって、タブＴを指定されることで、ウィンドウＷ内のＷｅｂページを切り替えて表示する。
また、コンテンツ情報取得装置３Ｂは、オブジェクト関連情報表示手段３５Ｂによって、図２１（ｂ）に示すように、複数のオブジェクト関連情報（Ｗｅｂページ）を表示するウィンドウＷ，Ｗ，…を、部分的に重ねて表示する。そして、オブジェクト関連情報表示手段３５Ｂは、指定手段３８Ｂで指定されたウィンドウＷを最前面に表示する。
【符号の説明】
【０１０８】
１      コンテンツ配信装置
１０    コンテンツ記憶手段
１１    埋め込み情報記憶手段
１２    領域別電子透かし埋め込み手段
１３    送信手段
２      コンテンツ表示装置
２０    受信手段
２１    表示手段
３      コンテンツ情報取得装置
３０    撮影手段
３１    領域別電子透かし検出手段
３１０  画像分割手段
３１１  電子透かし検出手段
３２    領域別情報記憶手段
３３    オブジェクト個別情報表示手段
３３０  ＩＤ別情報取得手段
３３１  表示位置決定手段
３３２  ＩＤ別情報表示手段
３４    表示位置記憶手段
３５    オブジェクト関連情報表示手段
３５０  関連情報取得手段
３５１  関連情報表示手段
３６    ネットワーク接続手段
３７    表示手段
３８    指定手段
４      サーバ
４１    Ｗｅｂサーバ
４２    検索サーバ
Ｎ      ネットワーク
【図１】
2015106862.tif 000003
【図２】
2015106862.tif 000004
【図３】
2015106862.tif 000005
【図４】
2015106862.tif 000006
【図５】
2015106862.tif 000007
【図６】
2015106862.tif 000008
【図７】
2015106862.tif 000009
【図８】
2015106862.tif 000010
【図９】
2015106862.tif 000011
【図１０】
2015106862.tif 000012
【図１１】
2015106862.tif 000013
【図１２】
2015106862.tif 000014
【図１３】
2015106862.tif 000015
【図１４】
2015106862.tif 000016
【図１５】
2015106862.tif 000017
【図１６】
2015106862.tif 000018
【図１７】
2015106862.tif 000019
【図１８】
2015106862.tif 000020
【図１９】
2015106862.tif 000021
【図２０】
2015106862.tif 000022
【図２１】
2015106862.tif 000023